(57)【特許請求の範囲】
【請求項１】
外筒と、該外筒内に摺動可能に収納されたガスケットと、前記外筒の先端開口部を封止する封止部材と、前記外筒内に形成された薬剤収納部に収納された薬剤とからなるプレフィルドシリンジ本体と、前記ガスケットに装着可能かつ非装着状態となっているプランジャとからなるプレフィルドシリンジであって、
前記ガスケットは、先端が閉塞し後端が開口する筒状体であり、かつ、後端の開口より先端側に延びる内腔部を備えるガスケット本体と、前記ガスケット本体に取り付けられたプランジャ装着用部材とからなり、
前記プランジャ装着用部材は、前記ガスケット本体の基端面を押圧可能な先端側フランジ部を先端側に有する本体部と、前記本体部より、前方に突出し、前記ガスケット本体の前記内腔部に収納可能な先端部と、該先端部の外面に設けられた螺旋状リブと、前記本体部の基端側に設けられた基端側フランジ部と、該基端側フランジ部に設けられた装着用部材側スライド係合部とを備え、
前記ガスケット本体は、前記内腔部の内面に設けられ、前記プランジャ装着用部材の前記螺旋状リブと螺合するための螺旋状螺合部と、前記内腔部の前記螺旋状螺合部より先端側に設けられ、前記プランジャ装着用部材の前記螺旋状リブ形成部位から先端側を収納するための収納部とを備え、
前記プランジャは、前記ガスケットへの装着時において、前記プランジャ装着用部材の前記基端側フランジ部を押圧可能な押圧部と、前記装着用部材側スライド係合部と係合するためのプランジャ側スライド係合部とを備え、
前記装着用部材側スライド係合部と前記プランジャ側スライド係合部とは、前記プランジャ装着用部材の前記基端側フランジ部に前記プランジャの先端部をプレフィルドシリンジ本体軸方向に対して横方向にスライドさせることにより、両者は係合するものであり、かつ、前記装着用部材側スライド係合部と前記プランジャ側スライド係合部は、両者の係合の進行により、嵌合し、前記プランジャ装着用部材からの前記プランジャの離脱を防止する嵌合機構を備えており、
そして、前記装着用部材側スライド係合部と前記プランジャ側スライド係合部は、一方が、保持部と該保持部の端部よりスライド方向に延びる延出部と、該延出部に設けられた第１の嵌合部とを備える雄側係合部を備え、他方が、前記延出部を収納可能な収納部と該収納部の端部外面もしくは内部に設けられた前記第１の嵌合部と嵌合する第２の嵌合部を有する雌側係合部を有するものであり、さらに、前記雄側係合部は、前記保持部と、該保持部の端部の両側部より向かい合うように延びる２本の前記延出部を備え、前記延出部の先端部が嵌合部を有する爪部となっており、
前記プランジャ装着用部材は、前記ガスケット本体に前記螺旋状リブ形成部位から先端側を前記収納部に収納した状態で装着されており、かつ前記プランジャ装着用部材の先端が前記ガスケット本体の内面に接触しないものとなっていることを特徴とするプレフィルドシリンジ。
【請求項２】
外筒と、該外筒内に摺動可能に収納されたガスケットと、前記外筒の先端開口部を封止する封止部材と、前記外筒内に形成された薬剤収納部に収納された薬剤とからなるプレフィルドシリンジ本体と、前記ガスケットに装着可能かつ非装着状態となっているプランジャとからなるプレフィルドシリンジであって、
前記ガスケットは、先端が閉塞し後端が開口する筒状体であり、かつ、後端の開口より先端側に延びる内腔部を備えるガスケット本体と、前記ガスケット本体に取り付けられたプランジャ装着用部材とからなり、
前記プランジャ装着用部材は、前記ガスケット本体の基端面を押圧可能な先端側フランジ部を先端側に有する本体部と、前記本体部より、前方に突出し、前記ガスケット本体の前記内腔部に収納可能な先端部と、該先端部の外面に設けられた螺旋状リブと、前記本体部の基端側に設けられた基端側フランジ部と、該基端側フランジ部に設けられた装着用部材側スライド係合部とを備え、
前記ガスケット本体は、前記内腔部の内面に設けられ、前記プランジャ装着用部材の前記螺旋状リブと螺合するための螺旋状螺合部と、前記内腔部の前記螺旋状螺合部より先端側に設けられ、前記プランジャ装着用部材の前記螺旋状リブ形成部位から先端側を収納するための収納部とを備え、
前記プランジャは、前記ガスケットへの装着時において、前記プランジャ装着用部材の前記基端側フランジ部を押圧可能な押圧部と、前記装着用部材側スライド係合部と係合するためのプランジャ側スライド係合部とを備え、
前記装着用部材側スライド係合部と前記プランジャ側スライド係合部とは、前記プランジャ装着用部材の前記基端側フランジ部に前記プランジャの先端部をプレフィルドシリンジ本体軸方向に対して横方向にスライドさせることにより、両者は係合するものであり、かつ、前記装着用部材側スライド係合部と前記プランジャ側スライド係合部は、両者の係合の進行により、嵌合し、前記プランジャ装着用部材からの前記プランジャの離脱を防止する嵌合機構を備えており、
そして、前記装着用部材側スライド係合部は、前記基端側フランジ部の外面より突出する保持部と、該保持部の端部から延びるとともに、前記基端側フランジ部の外面と離間しかつ前記外面とほぼ平行に延びる延出部と、該延出部に設けられた第１の嵌合部とを有する雄側係合部を備え、前記プランジャは、前記プランジャ側スライド係合部を有するヘッド部を備え、前記プランジャ側スライド係合部は、前記延出部を収納可能な収納部と該収納部の端部外面もしくは内部に設けられた前記第１の嵌合部と係合する第２の嵌合部を有する雌側係合部を備え、前記ヘッド部の先端面が前記基端側フランジ部を押圧可能な押圧部を構成しており、
前記プランジャ装着用部材は、前記ガスケット本体に前記螺旋状リブ形成部位から先端側を前記収納部に収納した状態で装着されており、かつ前記プランジャ装着用部材の先端が前記ガスケット本体の内面に接触しないものとなっていることを特徴とするプレフィルドシリンジ。
【請求項３】
外筒と、該外筒内に摺動可能に収納されたガスケットと、前記外筒の先端開口部を封止する封止部材と、前記外筒内に形成された薬剤収納部に収納された薬剤とからなるプレフィルドシリンジ本体と、前記ガスケットに装着可能かつ非装着状態となっているプランジャとからなるプレフィルドシリンジであって、
前記ガスケットは、先端が閉塞し後端が開口する筒状体であり、かつ、後端の開口より先端側に延びる内腔部を備えるガスケット本体と、前記ガスケット本体に取り付けられたプランジャ装着用部材とからなり、
前記プランジャ装着用部材は、前記ガスケット本体の基端面を押圧可能な先端側フランジ部を先端側に有する本体部と、前記本体部より、前方に突出し、前記ガスケット本体の前記内腔部に収納可能な先端部と、該先端部の外面に設けられた螺旋状リブと、前記本体部の基端側に設けられた基端側フランジ部と、  該基端側フランジ部に設けられた装着用部材側スライド係合部とを備え、
前記ガスケット本体は、前記内腔部の内面に設けられ、前記プランジャ装着用部材の前記螺旋状リブと螺合するための螺旋状螺合部と、前記内腔部の前記螺旋状螺合部より先端側に設けられ、前記プランジャ装着用部材の前記螺旋状リブ形成部位から先端側を収納するための収納部とを備え、
前記プランジャは、前記ガスケットへの装着時において、前記プランジャ装着用部材の前記基端側フランジ部を押圧可能な押圧部と、前記装着用部材側スライド係合部と係合するためのプランジャ側スライド係合部とを備え、
前記装着用部材側スライド係合部と前記プランジャ側スライド係合部とは、前記プランジャ装着用部材の前記基端側フランジ部に前記プランジャの先端部をプレフィルドシリンジ本体軸方向に対して横方向にスライドさせることにより、両者は係合するものであり、かつ、前記装着用部材側スライド係合部と前記プランジャ側スライド係合部は、両者の係合の進行により、嵌合し、前記プランジャ装着用部材からの前記プランジャの離脱を防止する嵌合機構を備えており、
そして、前記プランジャは、先端側フランジ部と、該先端側フランジ部の外面に設けられた保持部と、該保持部の端部から延びるとともに、前記先端側フランジ部の外面と離間しかつ前記外面とほぼ平行に延びる延出部と、該延出部に設けられた第１の嵌合部とを有する雄側係合部を備え、前記装着用部材側スライド係合部は、前記基端側フランジ部に設けられ、前記延出部を収納可能な収納部と該収納部の端部外面もしくは内部に設けられた前記第１の嵌合部と係合する第２の嵌合部を有する雌側係合部を有し、前記プランジャの前記先端側フランジ部が、前記プランジャ装着用部材の前記基端側フランジ部を押圧する押圧部を構成しており、
前記プランジャ装着用部材は、前記ガスケット本体に前記螺旋状リブ形成部位から先端側を前記収納部に収納した状態で装着されており、かつ前記プランジャ装着用部材の先端が前記ガスケット本体の内面に接触しないものとなっていることを特徴とするプレフィルドシリンジ。
【請求項４】
前記雄側係合部は、前記保持部と、該保持部の端部の両側部より向かい合うように延びる２本の前記延出部を備え、前記延出部の先端部が嵌合部を有する爪部となっている請求項２または３に記載のプレフィルドシリンジ。
【請求項５】
前記雌側係合部の前記収納部は、前記雄側係合部の前記延出部を前記爪部の前記嵌合部が突出する状態にて収納可能であり、かつ、前記爪部の前記嵌合部は、前記収納部より突出時に該収納部の外側端面と嵌合するものである請求項４に記載のプレフィルドシリンジ。
【請求項６】
前記雌側係合部は、前記収納部の一端側開口または／および他端側開口に、前記雄側係合部を誘導するための誘導部を備えている請求項１ないし５のいずれかに記載のプレフィルドシリンジ。
【請求項７】
前記ガスケット本体は、前記螺旋状螺合部の付近かつ先端側に位置するプランジャ抜け止め用環状リブを備え、前記環状リブは、前記プランジャ装着用部材の前記本体部の前記螺旋状リブと前記ガスケット本体の前記螺旋状螺合部との螺合の進行により該環状リブに到達した前記螺旋状リブを前記収納部に誘導するための誘導部を備えている請求項１ないし６のいずれかに記載のプレフィルドシリンジ。
【請求項８】
前記環状リブは、前記誘導部に向かって徐々にリブが小さくなっている請求項７に記載のプレフィルドシリンジ。
【発明の詳細な説明】
【技術分野】
【０００１】
本発明は、予め薬液が充填されたプレフィルドシリンジに関する。
【背景技術】
【０００２】
従来より多くの注射器が使用されており、最近では、シリンジポンプに装着されて使用されるケースも多い。また、予め薬液が充填されたプレフィルドシリンジも近年多く利用されており、このプレフィルドシリンジもシリンジポンプに装着されて使用されるケースもある。
プレフィルドシリンジにおけるガスケット挿入は、先端開口がシールされた外筒内に薬剤を充填した状態とし、減圧下雰囲気（真空下雰囲気）にて、ガスケットを外筒の開口部に配置し、その後、常圧状態とすることにより、ガスケットを外筒内に挿入させるといういわゆる真空打栓といわれる方法を用いるのが一般的である。プランジャが装着済みでは、外筒の開口部へのガスケットの配置が困難であるため、ガスケット単体にて上記の打栓作業が行われる。このため、プレフィルドシリンジとしては、その後のプランジャ装着作業を必要とするのが一般的である。そして、ガスケットへのプランジャ装着作業を容易なものとし、かつ、装着作業時における液漏れ発生防止、内部圧の上昇抑制を少ないものとするために、プランジャに雄ねじ部、ガスケットに雌ねじ部を設け、両者の螺合による装着機構を有するものが一般的となっている。
【０００３】
そして、上述したように、注射器およびプレフィルドシリンジは、シリンジポンプに装着されて投与される場合がある。シリンジポンプを使用する場合、微量持続投与が行われるが、シリンジポンプが患者より高い位置にある場合、落差によって薬液が急速投与されてしまう現象が発生する可能性がある。すなわち、このような状態では、落差が注射器内部を陰圧状態にし、ガスケットが外筒の前方に吸引されており、それをプランジャに固定されているシリンジポンプの押圧手段が吸引に伴うガスケットの移動を防ぎつつ、微量持続投与を行なうものとなっている。ところが、陰圧がプランジャとガスケットとの係合力に打ち勝ってしまうと、ガスケットがプランジャから離脱する危険性があり、ガスケットが離脱すると注射器内の薬剤が急速投与されることになる。
【０００４】
そして、ガスケットの外れ防止機構を有するものとしては、特開２００２−２７２８４３号公報（特許文献１）、特開２００９−１４２５０８号公報（特許文献２）、国際公開ＷＯ０１−９７８８５号（特許文献３）、特開２００７−２０２８２２号公報（特許文献４）がある。なお、特許文献１ないし特許文献３は、本願出願人の提案である。
また、ガスケットをガスケット本体とプランジャ装着部材とにより構成するものも提案されており、例えば、実開平６−３９００５号公報（特許文献５）、特開２００７−４４１５９号公報（特許文献６）、特開２００８−３０７２３７号公報（特許文献７）、特許第３６６５６４６号公報（特許文献８）がある。
【０００５】
特許文献１（特開２００２−２７２８４３号公報）のシリンジ１は、外筒２と、外筒２内で摺動し得るガスケット３と、外筒２の基端開口より挿入され、ガスケット３を移動操作するプランジャ４とを備えている。外筒２とガスケット３とで囲まれる空間内には、予め液体７が液密に収納されている。プランジャ４の先端部のヘッド部４３には、鍔状のフランジ４４が形成されている。ガスケット３は、中空部３３を有し、その基端側内面には、ネジ山３４が形成されている。さらにこのネジ山３４より先端側には、フランジ４４が収納される空間３５が形成されている。ネジ山３４を越え、空間３５内に進入したフランジ４４は、空間３５に対し遊嵌状態で係合する。
このシリンジでは、プランジャ４の先端部のヘッド部４３に形成された鍔状のフランジ４４は、ねじ状のものではないため、シリンジポンプに装着して、上述のように、シリンジポンプが患者より高い位置にて投与した場合、ガスケットからプランジャが離脱するおそれがある。
特許文献２（特開２００９−１４２５０８号公報）の注射器１０は、ガスケット３と外筒２とプランジャ４とを備える。そして、プランジャ４は、ヘッド部４２の外面に設けられた螺旋状リブ４４を備え、ガスケットは、螺旋状リブと螺合するための螺旋状螺合部３３と、螺旋状螺合部３３の付近かつ先端側に位置するプランジャ抜け止め用環状リブ３４と、プランジャのヘッド部の螺旋状リブ形成部位収納部３２を備える。環状リブ３４は、プランジャの螺旋状リブとガスケットの螺旋状螺合部との螺合の進行により、環状リブに到達した螺旋状リブを収納部に誘導するためのリブ欠損部３５を備えている。
このシリンジでは、プランジャの抜け防止としては有効である。しかし、プランジャの装着作業の仕方によっては、装着不良となることがまれに生じる。
【０００６】
特許文献３（国際公開ＷＯ０１−９７８８５号）のシリンジでは、プランジャ４の先端部には、ガスケット３の中空部３３内に挿入され、ガスケット３と連結されるヘッド部（連結部）４３が形成されている。ヘッド部４３の外周面には、雄ネジ５１が形成されている。一方、ガスケット３の中空部３３の内周面には、雄ネジ５１と螺合し得る雌ネジ５２が形成されている。ヘッド部４３は、雄ネジ５１より先端側に配置された弾性片６１と、各弾性片６１の端部付近に、外周方向に向かって突出形成された突部６２とを有している。ガスケット３の中空部３３の雌ネジ５２により先端側の内周面には、リング状の係合突部６３が突出形成されている。
このシリンジにおいても、プランジャを回転させることによりガスケットに装着するものであり、プランジャの装着に回転操作が必要である。さらに、螺合が適正に行われない場合があり、この状態では、ガスケット外側面が真円とならず液漏れを招くことがある。また、装着されたプランジャを斜めにしたときの応力がダイレクトにガスケットに伝わり、液漏れを起こす場合がある。
特許文献４（特開２００７−２０２８２２号公報）のシリンジに用いられているプランジャは、プランジャロッド２２及びガスケット２１を含み、ガスケット２１は、先端が閉塞した内側空間を備え、且つ基端に内側空間の径より細径の開口部が形成され、プランジャロッド２２は、その先端に雄ネジ状の突部２２３が形成され、突部２２３が開口部２１２を越えて内側空間に進入したとき、ガスケット２１とプランジャロッド２２とが遊嵌状態で係合するよう構成されている。
このシリンジの「細径の開口部」は、「ねじ状のものではない」ばかりでなく、逆回転による脱落防止リブとしての機能に加えてプランジャを基端方向に引っ張った時に抜け落ちるのを防止する必要があるため、より高い強度を有することが必要である。このため、適正に螺合しない場合には、ガスケットの雌ネジ部突条がよじれて螺合した場合にガスケット外側面の真円度が低くなり液漏れを生じることがある。
特許文献５（実開平６−３９００５号公報）では、容器兼用注射器のシリンジ２内に密嵌させられるゴム製のプランジャ２０が有する内室部に合成樹脂製の補強材３０を嵌合させる。この補強材３０でプランジャ２０における内室部を形成する周壁部２３を補強する。プランジャロッド１０は補強材３０に着脱自在に取り付ける。補強材３０の蓋部３２が有する挿入孔３４（図２参照）からプランジャロッド１０の挿入部１６を挿入し、プランジャロッド１０を回動させて、プランジャロッド１０の挿入部１６が有する羽根板１７の対向辺１８を、補強材３０の蓋部の３２裏面３５の嵌合溝３６（図３参照）に嵌合させることにより、補強材３０が嵌合させられているプランジャ２０へのプランジャロッド１０の装着が完了する。
このシリンジでは、装着作業時に、羽根板をスリット状の嵌合溝に合わせなくければならず、また、プランジャロッドが邪魔になり目視もできないので、装着作業が容易ではない。また、装着後において、羽根板と嵌合溝が合ってしまえば簡単にプランジャロッドが離脱する危険性がある。
【０００７】
特許文献６（特開２００７−４４１５９号公報）のシリンジ１は、外筒２と、外筒２内で摺動し得るガスケット３と、ガスケット３を移動操作するプランジャ４とを備える。ガスケット３とプランジャ４とは、連結機構により連結されている。プランジャ４は、プランジャ上４１、プランジャ下４２をかん合させる。このとき、プランジャ下４２に設けた凸部４２２をプランジャ上４１に設けた凹部４１２に挿入し、奥まで挿入し終えたらプランジャ下４２に設けた凸部４２２がプランジャ上４１に設けた凹部４１２の端部に位置するまでプランジャ下４ ２を回転させる。ここで、プランジャ上４１とプランジャ下４２の係合部に隙間を持たせ、遊かん状態で係合させている。このシリンジにおいてもプランジャの装着に回転操作が必要である。
特許文献７（特開２００８−３０７２３７号公報）のプレフィルドシリンジは、内部に薬液が充填され、ガスケットが打栓されたプレフィルドシリンジであって、ガスケットの基端に螺合するカプラーと、前記カプラーの基端側より連結されるボトムロッドと、前記カプラーに形成されたストッパーと、前記ボトムロッドに形成された、前記ボトムロッドの螺合方向回転によって前記ストッパーと係合する係合部とを含み、前記ストッパーは、前記係合部に反螺合方向より当たると弾性変形して前記係合部と係合しないものとなっている。
このシリンジにおいても、特許文献６と同様に、装着作業が容易ではない。
【０００８】
特許文献８（特許第３６６５６４６号公報）の図１ないし図６のシリンジは、バレル、プランジャ及びプランジャロッドを備えた注射器であって、前記プランジャロッドが駆動されることによりプランジャに軸方向の張力が生じてプランジャの直径が縮小し、前記直径の縮小がバレルの内部とプランジャとの摩擦を低減しながら、なおバレルの内部とプランジャとのシールが維持されるように前記プランジャの伸長が制限され、前記プランジャロッドが、ロッド部材と、プランジャの結合部材とを備え、ロッド部材が結合部材に対して軸方向に摺動可能である注射器である。そして、特許文献７の図１ないし図６の実施例のシリンジでは、プランジャ挿入部６８は、プランジャロッド５０の雄ねじ７１と係合する雌ねじ６９を有し、プランジャロッド５０は、プランジャ挿入部６８の雌ねじ６９に係合するように設計された雄ねじ７１を有する。このシリンジにおいてもプランジャの装着に回転操作が必要である。また、図７ないし図１８の実施例のシリンジでは、プランジャの方向に突出する凸面を有する半円形状のプランジャロッド先端１６４とを備えており、この先端１６４は、図１８に示す十字状スリットに挿入し、その後回転させなければならない。このシリンジでは、プランジャの装着には、先端１６４のスリットへの位置決め挿入作業と回転操作が必要となる。また、図１１に示すように、ロッド先端１６４は、プランジャに当接し変形させるものであるため、液漏れを生じる可能性が高い。
このシリンジにおいても、特許文献６および７と同様に、装着作業が容易ではなく、また、装着後にプランジャロッドが離脱する危険性がある。
【先行技術文献】
【特許文献】
【０００９】
【特許文献１】特開２００２−２７２８４３号公報
【特許文献２】特開２００９−１４２５０８号公報
【特許文献３】国際公開ＷＯ０１−９７８８５号
【特許文献４】特開２００７−２０２８２２号公報
【特許文献５】実開平６−３９００５号公報
【特許文献６】特開２００７−４４１５９号公報
【特許文献７】特開２００８−３０７２３７号公報
【特許文献８】特許第３６６５６４６号公報
【発明の概要】
【発明が解決しようとする課題】
【００１０】
そこで、本発明の目的は、ガスケットへのプランジャ装着作業時に、プランジャがガスケットに装着されたことを確認でき、かつ、装着後のプランジャからのガスケットの離脱を確実に抑制することができ、さらに、プランジャが傾倒してもガスケットに変形を与えにくいプレフィルドシリンジを提供するものである。
【課題を解決するための手段】
【００１１】
上記目的を達成するものは、以下のものである。
（１）  外筒と、該外筒内に摺動可能に収納されたガスケットと、前記外筒の先端開口部を封止する封止部材と、前記外筒内に形成された薬剤収納部に収納された薬剤とからなるプレフィルドシリンジ本体と、前記ガスケットに装着可能かつ非装着状態となっているプランジャとからなるプレフィルドシリンジであって、前記ガスケットは、先端が閉塞し後端が開口する筒状体であり、かつ、後端の開口より先端側に延びる内腔部を備えるガスケット本体と、前記ガスケット本体に取り付けられたプランジャ装着用部材とからなり、前記プランジャ装着用部材は、前記ガスケット本体の基端面を押圧可能な先端側フランジ部を先端側に有する本体部と、前記本体部より、前方に突出し、前記ガスケット本体の前記内腔部に収納可能な先端部と、該先端部の外面に設けられた螺旋状リブと、前記本体部の基端側に設けられた基端側フランジ部と、該基端側フランジ部に設けられた装着用部材側スライド係合部とを備え、前記ガスケット本体は、前記内腔部の内面に設けられ、前記プランジャ装着用部材の前記螺旋状リブと螺合するための螺旋状螺合部と、前記内腔部の前記螺旋状螺合部より先端側に設けられ、前記プランジャ装着用部材の前記螺旋状リブ形成部位から先端側を収納するための収納部とを備え、前記プランジャは、前記ガスケットへの装着時において、前記プランジャ装着用部材の前記基端側フランジ部を押圧可能な押圧部と、前記装着用部材側スライド係合部と係合するためのプランジャ側スライド係合部とを備え、前記装着用部材側スライド係合部と前記プランジャ側スライド係合部とは、前記プランジャ装着用部材の前記基端側フランジ部に前記プランジャの先端部をプレフィルドシリンジ本体軸方向に対して横方向にスライドさせることにより、両者は係合するものであり、かつ、前記装着用部材側スライド係合部と前記プランジャ側スライド係合部は、両者の係合の進行により、嵌合し、前記プランジャ装着用部材からの前記プランジャの離脱を防止する嵌合機構を備えており、そして、前記装着用部材側スライド係合部と前記プランジャ側スライド係合部は、一方が、保持部と該保持部の端部よりスライド方向に延びる延出部と、該延出部に設けられた第１の嵌合部とを備える雄側係合部を備え、他方が、前記延出部を収納可能な収納部と該収納部の端部外面もしくは内部に設けられた前記第１の嵌合部と嵌合する第２の嵌合部を有する雌側係合部を有するものであり、さらに、前記雄側係合部は、前記保持部と、該保持部の端部の両側部より向かい合うように延びる２本の前記延出部を備え、前記延出部の先端部が嵌合部を有する爪部となっており、前記プランジャ装着用部材は、前記ガスケット本体に前記螺旋状リブ形成部位から先端側を前記収納部に収納した状態で装着されており、かつ前記プランジャ装着用部材の先端が前記ガスケット本体の内面に接触しないものとなっているプレフィルドシリンジ。
（２）  外筒と、該外筒内に摺動可能に収納されたガスケットと、前記外筒の先端開口部を封止する封止部材と、前記外筒内に形成された薬剤収納部に収納された薬剤とからなるプレフィルドシリンジ本体と、前記ガスケットに装着可能かつ非装着状態となっているプランジャとからなるプレフィルドシリンジであって、前記ガスケットは、先端が閉塞し後端が開口する筒状体であり、かつ、後端の開口より先端側に延びる内腔部を備えるガスケット本体と、前記ガスケット本体に取り付けられたプランジャ装着用部材とからなり、前記プランジャ装着用部材は、前記ガスケット本体の基端面を押圧可能な先端側フランジ部を先端側に有する本体部と、前記本体部より、前方に突出し、前記ガスケット本体の前記内腔部に収納可能な先端部と、該先端部の外面に設けられた螺旋状リブと、前記本体部の基端側に設けられた基端側フランジ部と、該基端側フランジ部に設けられた装着用部材側スライド係合部とを備え、前記ガスケット本体は、前記内腔部の内面に設けられ、前記プランジャ装着用部材の前記螺旋状リブと螺合するための螺旋状螺合部と、前記内腔部の前記螺旋状螺合部より先端側に設けられ、前記プランジャ装着用部材の前記螺旋状リブ形成部位から先端側を収納するための収納部とを備え、前記プランジャは、前記ガスケットへの装着時において、前記プランジャ装着用部材の前記基端側フランジ部を押圧可能な押圧部と、前記装着用部材側スライド係合部と係合するためのプランジャ側スライド係合部とを備え、前記装着用部材側スライド係合部と前記プランジャ側スライド係合部とは、前記プランジャ装着用部材の前記基端側フランジ部に前記プランジャの先端部をプレフィルドシリンジ本体軸方向に対して横方向にスライドさせることにより、両者は係合するものであり、かつ、前記装着用部材側スライド係合部と前記プランジャ側スライド係合部は、両者の係合の進行により、嵌合し、前記プランジャ装着用部材からの前記プランジャの離脱を防止する嵌合機構を備えており、そして、前記装着用部材側スライド係合部は、前記基端側フランジ部の外面より突出する保持部と、該保持部の端部から延びるとともに、前記基端側フランジ部の外面と離間しかつ前記外面とほぼ平行に延びる延出部と、該延出部に設けられた第１の嵌合部とを有する雄側係合部を備え、前記プランジャは、前記プランジャ側スライド係合部を有するヘッド部を備え、前記プランジャ側スライド係合部は、前記延出部を収納可能な収納部と該収納部の端部外面もしくは内部に設けられた前記第１の嵌合部と係合する第２の嵌合部を有する雌側係合部を備え、前記ヘッド部の先端面が前記基端側フランジ部を押圧可能な押圧部を構成しており、前記プランジャ装着用部材は、前記ガスケット本体に前記螺旋状リブ形成部位から先端側を前記収納部に収納した状態で装着されており、かつ前記プランジャ装着用部材の先端が前記ガスケット本体の内面に接触しないものとなっているプレフィルドシリンジ。
（３）  外筒と、該外筒内に摺動可能に収納されたガスケットと、前記外筒の先端開口部を封止する封止部材と、前記外筒内に形成された薬剤収納部に収納された薬剤とからなるプレフィルドシリンジ本体と、前記ガスケットに装着可能かつ非装着状態となっているプランジャとからなるプレフィルドシリンジであって、前記ガスケットは、先端が閉塞し後端が開口する筒状体であり、かつ、後端の開口より先端側に延びる内腔部を備えるガスケット本体と、前記ガスケット本体に取り付けられたプランジャ装着用部材とからなり、前記プランジャ装着用部材は、前記ガスケット本体の基端面を押圧可能な先端側フランジ部を先端側に有する本体部と、前記本体部より、前方に突出し、前記ガスケット本体の前記内腔部に収納可能な先端部と、該先端部の外面に設けられた螺旋状リブと、前記本体部の基端側に設けられた基端側フランジ部と、該基端側フランジ部に設けられた装着用部材側スライド係合部とを備え、前記ガスケット本体は、前記内腔部の内面に設けられ、前記プランジャ装着用部材の前記螺旋状リブと螺合するための螺旋状螺合部と、前記内腔部の前記螺旋状螺合部より先端側に設けられ、前記プランジャ装着用部材の前記螺旋状リブ形成部位から先端側を収納するための収納部とを備え、前記プランジャは、前記ガスケットへの装着時において、前記プランジャ装着用部材の前記基端側フランジ部を押圧可能な押圧部と、前記装着用部材側スライド係合部と係合するためのプランジャ側スライド係合部とを備え、前記装着用部材側スライド係合部と前記プランジャ側スライド係合部とは、前記プランジャ装着用部材の前記基端側フランジ部に前記プランジャの先端部をプレフィルドシリンジ本体軸方向に対して横方向にスライドさせることにより、両者は係合するものであり、かつ、前記装着用部材側スライド係合部と前記プランジャ側スライド係合部は、両者の係合の進行により、嵌合し、前記プランジャ装着用部材からの前記プランジャの離脱を防止する嵌合機構を備えており、そして、前記プランジャは、先端側フランジ部と、該先端側フランジ部の外面に設けられた保持部と、該保持部の端部から延びるとともに、前記先端側フランジ部の外面と離間しかつ前記外面とほぼ平行に延びる延出部と、該延出部に設けられた第１の嵌合部とを有する雄側係合部を備え、前記装着用部材側スライド係合部は、前記基端側フランジ部に設けられ、前記延出部を収納可能な収納部と該収納部の端部外面もしくは内部に設けられた前記第１の嵌合部と係合する第２の嵌合部を有する雌側係合部を有し、前記プランジャの前記先端側フランジ部が、前記プランジャ装着用部材の前記基端側フランジ部を押圧する押圧部を構成しており、前記プランジャ装着用部材は、前記ガスケット本体に前記螺旋状リブ形成部位から先端側を前記収納部に収納した状態で装着されており、かつ前記プランジャ装着用部材の先端が前記ガスケット本体の内面に接触しないものとなっているプレフィルドシリンジ。
【００１２】
（４）  前記雄側係合部は、前記保持部と、該保持部の端部の両側部より向かい合うように延びる２本の前記延出部を備え、前記延出部の先端部が嵌合部を有する爪部となっている上記（２）または（３）のプレフィルドシリンジ。
（５）前記雌側係合部の前記収納部は、前記雄側係合部の前記延出部を前記爪部の前記嵌合部が突出する状態にて収納可能であり、かつ、前記爪部の前記嵌合部は、前記収納部より突出時に該収納部の外側端面と嵌合するものである上記（４）に記載のプレフィルドシリンジ。
（６）  前記雌側係合部は、前記収納部の一端側開口または／および他端側開口に、前記雄側係合部を誘導するための誘導部を備えている上記（１）ないし（５）のいずれかに記載のプレフィルドシリンジ。
（７）  前記ガスケット本体は、前記螺旋状螺合部の付近かつ先端側に位置するプランジャ抜け止め用環状リブを備え、前記環状リブは、前記プランジャ装着用部材の前記本体部の前記螺旋状リブと前記ガスケット本体の前記螺旋状螺合部との螺合の進行により該環状リブに到達した前記螺旋状リブを前記収納部に誘導するための誘導部を備えている上記（１）ないし（６）のいずれかに記載のプレフィルドシリンジ。
（８）  前記環状リブは、前記誘導部に向かって徐々にリブが小さくなっている上記（７）に記載のプレフィルドシリンジ。
【発明の効果】
【００１３】
本発明のプレフィルドシリンジは、外筒と、外筒内に収納されたガスケットと、外筒の先端開口部を封止する封止部材と、外筒内に形成された薬剤収納部に収納された薬剤とからなるプレフィルドシリンジ本体と、ガスケットに装着可能かつ非装着状態となっているプランジャとからなる。ガスケットは、先端が閉塞し後端が開口する筒状体であり、かつ、後端の開口より先端側に延びる内腔部を備えるガスケット本体と、ガスケット本体に取り付けられたプランジャ装着用部材とからなる。プランジャ装着用部材は、ガスケット本体の基端面を押圧可能な先端側フランジ部を先端側に有する本体部と、ガスケット本体の内腔部に収納可能な先端部と、先端部の外面に設けられた螺旋状リブと、本体部の基端側に設けられた基端側フランジ部に設けられた装着用部材側スライド係合部とを備える。ガスケット本体は、プランジャ装着用部材の螺旋状リブと螺合するための螺旋状螺合部と、プランジャ装着用部材の螺旋状リブ形成部位から先端側を収納する収納部を備える。プランジャは、プランジャ装着用部材の基端側フランジ部を押圧可能な押圧部と、装着用部材側スライド係合部と係合するためのプランジャ側スライド係合部とを備える。装着用部材側スライド係合部とプランジャ側スライド係合部とは、プランジャ装着用部材の基端側フランジ部にプランジャの先端部をプレフィルドシリンジ本体軸方向に対して横方向にスライドさせることにより、両者は係合するものであり、かつ、装着用部材側スライド係合部とプランジャ側スライド係合部は、両者の係合の進行により、嵌合し、プランジャ装着用部材からの前記プランジャの離脱を防止する嵌合機構を備えている。そして、プランジャ装着用部材は、ガスケット本体に螺旋状リブ形成部位から先端側を収納部に収納した状態で装着されており、かつプランジャ装着用部材の先端がガスケット本体の内面に接触しないものとなっている。
本発明のプレフィルドシリンジでは、プランジャをスライド操作によりガスケットに装着できるので、凹凸嵌合方式のものに比べ操作上の違和感がない。また、凹凸嵌合方式のものの場合、嵌合時のショックに対抗するために外筒の側部を強く握りしめる傾向があり、外筒の変形を招き液漏れの原因となる。しかし、本願発明のプレフィルドシリンジでは、外筒の作業時の圧迫に起因する液漏を生じることがない。
また、本発明のプレフィルドシリンジでは、プランジャは、ガスケットの進行方向である縦方向ではなく、プレフィルドシリンジ本体軸方向に対して横方向にスライドさせることにより、プランジャ装着用部材に装着されるため、プランジャの装着作業時にプランジャ装着用部材が回転することがなく、装着作業時における液漏れの発生がない。また。装着作業時において、装着のためのスライド作業は、両者の係合の進行により、嵌合機構が嵌合することにより容易に確認できる。さらに、装着されたプランジャを回転させてもその回転力は、プランジャ装着用部材に伝達されるもののガスケット本体には伝達されず、ガスケットを変形させることがない。また、ガスケット本体とプランジャ装着用部材は、実質的に遊嵌状態となっているので、プランジャを傾倒させてもガスケットが変形することがなく、液漏れを生じにくいものとなっている。
【図面の簡単な説明】
【００１４】
【図１】図１は、本発明の実施例のプレフィルドシリンジの正面図である。
【図２】図２は、図１に示したプレフィルドシリンジのプレフィルドシリンジ本体の縦断面図である。
【図３】図３は、本発明のプレフィルドシリンジに使用されるガスケットの拡大正面図である。
【図４】図４は、図３に示したガスケットの縦断面図である。
【図５】図５は、図３に示したガスケットに使用されるガスケット本体の断面図である。
【図６】図６は、図５のＡ−Ａ線断面図である。
【図７】図７は、図３に示したガスケットに使用されるプランジャ装着用部材の左側面図である。
【図８】図８は、図７に示したプランジャ装着用部材の平面図である。
【図９】図９は、図７に示したプランジャ装着用部材の底面図である。
【図１０】図１０は、図７のＢ−Ｂ線断面図である。
【図１１】図１１は、図７に示したプランジャ装着用部材の底面側から見た斜視図である。
【図１２】図１２は、本発明のプレフィルドシリンジに使用されるプランジャの拡大正面図である。
【図１３】図１３は、図１２のプランジャの斜視図である。
【図１４】図１４は、図１１に示したプランジャの拡大平面図である。
【図１５】図１５は、図１１に示したプランジャの先端側部分の拡大断面図である。
【図１６】図１６は、プランジャ装着用部材とプランジャとの係合状態を説明するための説明図である。
【図１７】図１７は、本発明のプレフィルドシリンジに使用される外筒の正面図である。
【図１８】図１８は、本発明のプレフィルドシリンジに使用される封止部材（シールキャップ）の断面図である。
【図１９】図１９は、本発明の他の実施例のプレフィルドシリンジに用いられるプランジャ装着用部材およびプランジャの斜視図である。
【図２０】図２０は、本発明のプレフィルドシリンジにおけるプレフィルドシリンジ本体とプランジャの装着時の作用を説明するための説明図である。
【図２１】図２１は、本発明のプレフィルドシリンジにおけるプレフィルドシリンジ本体とプランジャの装着時の作用を説明するための説明図である。
【図２２】図２２は、本発明のプレフィルドシリンジにおけるプレフィルドシリンジ本体とプランジャの装着時の作用を説明するための説明図である。
【発明を実施するための形態】
【００１５】
以下、本発明のプレフィルドシリンジについて説明する。
本発明のプレフィルドシリンジ１は、外筒２と、外筒２内に摺動可能に収納されたガスケット３と、外筒２の先端開口部を封止する封止部材５と、外筒２内に形成された薬剤収納部に収納された薬剤８とからなるプレフィルドシリンジ本体１０と、ガスケット３に装着可能かつ非装着状態となっているプランジャ４とからなる。
ガスケット３は、先端が閉塞し後端が開口する筒状体であり、かつ、後端の開口より先端側に延びる内腔部６０を備えるガスケット本体６と、ガスケット本体６に取り付けられたプランジャ装着用部材７とからなる。
プランジャ装着用部材７は、ガスケット本体６の基端面を押圧可能な先端側フランジ部７２を先端側に有する本体部７０と、本体部７０より、前方に突出し、ガスケット本体６の内腔部に収納可能な先端部７１と、先端部７１の外面に設けられた螺旋状リブ７４と、本体部７０の基端側に設けられた基端側フランジ部７８と、基端側フランジ部７８に設けられた装着用部材側スライド係合部７５とを備える。ガスケット本体６は、内腔部の内面に設けられ、プランジャ装着用部材７の螺旋状リブ７４と螺合するための螺旋状螺合部６３と、内腔部の螺旋状螺合部６３より先端側に設けられ、プランジャ装着用部材７の先端部７１の螺旋状リブ形成部位から先端側（言い換えれば、螺旋状リブ形成部位部分およびそれより先端側部分）を収納する収納部６２とを備える。
プランジャ４は、ガスケット３への装着時において、プランジャ装着用部材７の基端側フランジ部７８を押圧可能な押圧部４２と、装着用部材側スライド係合部７５と係合するためのプランジャ側スライド係合部４０とを備える。装着用部材側スライド係合部７５とプランジャ側スライド係合部とは、プランジャ装着用部材７の基端側フランジ部７８にプランジャ４の先端部をプレフィルドシリンジ本体軸方向に対して横方向にスライドさせることにより、両者は係合するものであり、かつ、装着用部材側スライド係合部７５とプランジャ側スライド係合部４０は、両者の係合の進行により、嵌合し、プランジャ装着用部材７からのプランジャ４の離脱を防止する嵌合機構４３ａ，７６ａを備えている。そして、プランジャ装着用部材７は、ガスケット本体６が螺旋状リブ７４を収納部６２に収納した状態で装着されており、プランジャ装着用部材７の先端がガスケット本体６の内面に接触しないものとなっている。
【００１６】
本発明のプレフィルドシリンジ１は、プレフィルドシリンジ本体１０と、プレフィルドシリンジ本体１０（ガスケット３）に装着可能かつ非装着状態となっているプランジャ４とからなる。
プレフィルドシリンジ本体１０は、外筒２と、外筒２の先端開口部を封止する封止部材５と、外筒内に摺動可能に収納されたガスケット３と、外筒２内に形成された薬剤収納部に収納された薬剤８とを備える。
そして、ガスケット３は、ガスケット本体６と、ガスケット本体６に取り付けられたプランジャ装着用部材７とからなる。
ガスケット本体６は、図１ないし図６に示すように、閉塞した先端と、後端開口より先端側に延びる内腔部６０を有する筒状体である。ガスケット本体６は、先端側に向かってテーパー状に縮径するテーパー部６１を有する。また、ガスケット本体６は、外面の先端側に設けられた先端側環状リブ６８と後端側に設けられた後端側環状リブ６９を備えている。
【００１７】
そして、ガスケット本体６は、内腔部６０を備え、この内腔部６０が、プランジャ装着用部材の取付機能を備えている。内腔部６０は、その内面に、プランジャ装着用部材７の螺旋状リブ７４と螺合するための螺旋状螺合部６３と、螺旋状螺合部６３より先端側にプランジャ装着用部材７の先端部７１の螺旋状リブ形成部位を収納するための収納部６２を備えを備える。さらに、この実施例では、ガスケット本体６は、螺旋状螺合部６３の付近かつ先端側に位置するプランジャ抜け止め用環状リブ６４を備え、さらに、環状リブ６４は、プランジャ装着用部材７の先端部７１の螺旋状リブ７４とガスケット本体６の螺旋状螺合部６３との螺合の進行により、環状リブ６４に到達した螺旋状リブ７４を収納部６２に誘導するための誘導部６５を備えている。誘導部６５は、リブ欠損部により形成されている。なお、誘導部は、リブ欠損部に限定されるものではなく、凹部、薄肉部などでもよく、さらには、環状リブ全体が脆弱であってもよい。なお、この実施例では、収納部６２は、環状リブ６４より先端側に設けられている。
【００１８】
螺旋状螺合部６３は、内腔部６０の開口部付近に始端６３ａを有し、先端方向に所定長延び、かつ、環状リブ６４の欠損部６５付近に終端６３ｂを有している。
この実施例では、螺旋状螺合部６３は、後述するするプランジャ装着用部材７の先端部７１の螺旋状リブ７４に対応するように、二条（二本）の螺旋状螺合部６３となっている。そして、この実施例のガスケット本体では、二条（二本）の螺旋状螺合部を形成するために、図５および図６に示すように、２本の螺旋状突起６６ａ，６６ｂを備えている。なお、上記のような複数（具体的には、二条）の螺旋状螺合部を備えることが好ましいが、螺旋状螺合部（螺旋状突起）は、一条（一本）のみであってもよい。
そして、この実施例では、螺旋状螺合部６３は、ガスケット本体６の内腔部６０の内壁面より突出する螺旋状突起６６間により形成された溝状部分となっている。螺合部６３は、プランジャ装着用部材７の螺旋状リブ７４と螺合可能であり、かつ、螺旋状リブを先端方向に誘導可能となっている。螺旋状突起６６は、内腔部６０の開口部付近に始端を有し、先端方向に所定長延び、かつ、環状リブ６４の欠損部６５を若干越えた位置に終端を有している。
【００１９】
そして、ガスケット本体６は、螺旋状螺合部６３の付近かつ螺旋状螺合部６３より先端側に位置する部位の内面に設けられたプランジャ抜け止め用環状リブ６４を備えている。この実施例のガスケットでは、環状リブ６４は、ガスケット３の中心軸に対してほぼ直交する方向に延びるものとなっている。なお、環状リブ６４は、ガスケット３の中心軸に対して直交する方向に延びることが望ましいが、直交状態より若干斜めとなっていてもよい。
また、ガスケット本体６は、環状リブ６４より先端側にプランジャ装着用部材７の先端部７１の螺旋状リブ形成部位を収納するための収納部６２を備えている。
【００２０】
さらに、環状リブ６４は、プランジャ装着用部材７の先端部７１の螺旋状リブ７４とガスケット本体６の螺旋状螺合部６３との螺合の進行により、環状リブ６４に到達した螺旋状リブ７４を収納部６２に誘導するための誘導部（具体的には、環状リブの欠損部）６５を備えている。特に、この実施例のガスケット本体６では、上述したように、螺旋状螺合部６３は、二条の螺旋状リブに対応する二条の螺旋状螺合部となっており、これに対応するようにまた図６にも示すように、環状リブの欠損部は、ほぼ向かい合う位置に２つ設けられている。言い換えれば、このガスケット本体６では、図６に示すように、２つに区分された環状リブ６４ａ、６４ｂと、両者間に位置する２つの欠損部６５ａ，６５ｂを備えるものとなっている。さらに、図６に示すように、環状リブ６４（６４ａ，６４ｂ）は、欠損部６５（６５ａ，６５ｂ）に向かって徐々にリブが小さくなっていることが好ましい。なお、リブは、欠損部６５（６５ａ，６５ｂ）に向かって徐々に幅が狭くなるもの、または徐々に高さが低くなるもの、さらには、徐々に幅が狭くなるとともに徐々に高さも低くなるもののいずれであってもよい。
このようにすることにより、プランジャ装着用部材７の螺旋状リブ７４の環状リブ６４の通過、言い換えれば、収納部６２への進入がより容易なものとなる。なお、欠損部は当該部分のリブが完全に欠損していなくても、プランジャ装着用部材７の螺旋状リブを誘導する機能を有する程度に欠損していれば良い。
【００２１】
そして、図５に示すように、螺旋状螺合部６３の幅、言い換えれば、螺旋状突起６６と環状リブ６４との距離は、欠損部６５に向かって（同様に、螺旋状螺合部６３の終端６３ｂに向かって）狭くなるものとなっている。このため、プランジャ装着用部材７の螺旋状リブ７４の環状リブ６４の欠損部６５への誘導を確実なものとしている。また、ガスケット本体６の螺旋状螺合部６３を形成するための螺旋状突起６６の突出高さは、環状リブ６４の突出高さより、高いものであることが好ましい。
そして、環状リブ６４の高さは、ガスケット本体の大きさによって相違するが、１．０〜３．０ｍｍであることが好ましく、特に、１．５〜２．５ｍｍが好ましい。また、環状リブ６４の欠損部６５の幅（ガスケットの周方向の幅）は、０．５〜３．０ｍｍであることが好ましく、特に、０．５〜１．５ｍｍが好ましい。
さらに、ガスケット本体６は、先端部内面の中央部に後端側に突出する突起部６７を備えている。この突起部６７は、ガスケット本体６の先端部が後端側に変形したときに、プランジャ装着用部材７の先端部７１の先端に当接可能なものであってもよい。突起部６７は、略半球状であることが好ましい。ガスケット本体６は、直径が５〜３０ｍｍ、全長が５〜３０ｍｍ程度のものが一般的である。
【００２２】
ガスケット本体６の構成材料としては、従来からガスケットに使用されている公知のものが使用できる。例えば、ゴム、エラストマー、ポリオレフィン系樹脂、フッ素系樹脂、ポリエステル系樹脂が挙げられる。ゴムとしては、例えば、天然ゴム、イソプレンゴム、ブチルゴム、クロロプレンゴム、ニトリル−ブタジエンゴム、スチレン−ブタジエンゴム、シリコーンゴムが好ましく、特に、加硫処理したものが好ましい。エラストマーとしては、例えば、ポリ塩化ビニル系エラストマー、ポリオレフィン系エラストマー、スチレン系エラストマー、ポリエステル系エラストマー、ポリアミド系エラストマー、ポリウレタン系エラストマー及びこれらの混合物が好ましい。上記ゴム、エラストマーの中でも、特に、スチレン−ブタジエンゴム、ブチルゴム、スチレン系エラストマーが、好適な硬度、弾性特性を有し、γ線滅菌、電子線滅菌、高圧蒸気滅菌などの各種滅菌方法が採用可能であることから好ましい。
【００２３】
また、ガスケット本体の先端側部分に低薬剤吸着性物質等を被覆したものであってもよい。
低薬物吸着層の材質としては、従来からラミネートガスケットに使用されている公知のものが使用できる。低薬物吸着層の材質としては、例えば、ポリオレフィン系樹脂、フッ素系樹脂、ポリエステル系樹脂が挙げられる。具体的に、ポリオレフィン系樹脂としては、ポリプロピレン、超高分子量ポリエチレン、ポリ（４−メチルペンテン−１）、環状ポリオレフィン等が好ましく、フッ素系樹脂としては、四フッ化エチレン−パーフルオロエトキシエチレン共重合体、ポリテトラフルオロエチレン、テトラフルオロエチレン／パーフルオロアルキルビニルエーテル共重合体、テトラフルオロエチレン／ヘキサフルオロプロピレン共重合体等が好ましい。
また、ガスケット本体６の外面、少なくとも先端側環状リブ６８および後端側環状リブ６９の表面に潤滑剤の塗布を行うことが好ましい。また、潤滑剤は、外筒の内面に塗布してもよい。潤滑剤としては、シリコーンオイルが好適である。また、ガスケット本体表面に、当該表面にて固化することにより形成されたシリコーン系樹脂層を設けることにより、シリコーンオイル等の潤滑剤を用いないものであってもよい。
【００２４】
プランジャ装着用部材７は、図２ないし図１１に示すように、所定長延びる本体部７０と、本体部７０より前方に突出し、ガスケット本体６の内腔部に収納可能な先端部７１と、本体部７０の基端側に設けられた基端側フランジ部７８と、基端側フランジ部７８に設けられた装着用部材側スライド係合部７５を備える。
本体部７０は、断面十字状にて所定長延びるものとなっており、その基端に装着用部材側スライド係合部７５を備える。このため、プランジャ装着作業時にプランジャ装着用部材とプランジャとの装着を目視しながら行うことができ、装着作業を安心かつ確実に行うことができる。
また、本体部７０は、基端側に補強部７３を備えている。さらに、本体部７０の先端には、ガスケット本体６の基端面を押圧可能な円盤状の先端側フランジ部７２が設けられ、基端には、プランジャ４の押圧部４２と当接可能な円盤状の基端側フランジ部７８が設けられている。
先端側フランジ部７２は、外縁がほぼ円形となっており、外径は、ガスケット本体６の基端の外径より若干小さいものとなっている。また、フランジ部７２の先端側周縁部は、平坦面となっており、ガスケット本体６の後端面に当接し、押圧可能な形態となっている。
【００２５】
本体部７０（具体的には、先端側フランジ部７２）より突出する先端部７１は、ほぼ同一外径にて所長延びる円筒部である。この先端部７１は、本体部７０より短いものとなっている。先端部７１は、本体部７０の先端側フランジ部７２の中央付近から前方に突出している。また、先端部７１は、ガスケット本体６が変形しない通常状態では、ガスケット本体６の先端部内面と接触しないものとなっている。
そして、プランジャ装着用部材７の先端部７１の先端部外面には、螺旋状リブ７４が形成されている。また、この実施例におけるプランジャ装着用部材７では、図４、図７、図８、図１０および図１１に示すように、上述したガスケット本体６の螺旋状螺合部６３に対応するように、二条（二本）の螺旋状リブ７４が形成されている。螺旋状リブ７４は、プランジャ装着用部材７の先端部７１の先端付近に始端を有し、所定長後端側に延びるものとなっている。このような複数（具体的には、二条）の螺旋状リブを備えることが好ましいが、螺旋状リブは、一条（一本）のみであってもよい。また、螺旋状リブ７４は、図７および図８に示すように、始端部に平坦部（プランジャ装着用部材の中心軸に直交する平坦部）７４ａを備えている。
【００２６】
そして、ガスケット本体の環状リブの高さとプランジャ装着用部材の螺旋状リブの高さは、以下のようなものであることが好ましい。ガスケット本体の環状リブの高さとしては、１．０〜３．０ｍｍであることが好ましく、特に、１．５〜２．５ｍｍが好ましい。プランジャ装着用部材の螺旋状リブの高さとしては、２．５〜３．２ｍｍが好ましく、特に、２．８〜３．１ｍｍ、さらには、２．９５〜３．０５ｍｍが好ましい。そして、環状リブと螺旋状リブの当接部の幅は、０．５〜２．５ｍｍであることが好ましく、特に、１．０〜２．３ｍｍが好ましい。また、ガスケット本体の環状リブ部分における内径は、１６．０〜２０．０ｍｍであることが好ましく、特に、１７．０〜１９．０ｍｍが好ましく、プランジャ装着用部材の螺旋状リブ部分における外径は、１９．０〜２２．０ｍｍであることが好ましく、特に、２０．０〜２１．０ｍｍが好ましい。
プランジャ装着用部材７の構成材料としては、高密度ポリエチレン、ポリプロピレン、ポリスチレン、ポリエチレンテレフタレート等の硬質もしくは半硬質樹脂を用いることが好ましい。
【００２７】
プランジャ装着用部材７は、図１ないし図４，図７ないし図１１に示すように、基端部に設けられた装着用部材側スライド係合部７５を備える。この実施例では、装着用部材側スライド係合部７５は、基端側フランジ部７８の外面より突出している。
この実施例の注射器では、装着用部材側スライド係合部７５とプランジャ側スライド係合部４０は、一方が、保持部７７と保持部７７の端部よりスライド方向に延びる延出部７６と、延出部７６に設けられた第１の嵌合部７６ａとを備える雄側係合部を備え、他方が、延出部７６を収納可能な収納部４３と収納部４３の端部外面もしくは内部に設けられた第１の嵌合部７６ａと係合する第２の嵌合部４３ａを有する雌側係合部を有するものとなっている。
特に、この実施例の注射器１では、図１ないし図１６に示すように、装着用部材側スライド係合部７５は、基端側フランジ部７８の外面より突出する保持部７７と、保持部７７の端部から延びるとともに、基端側フランジ部７８の外面と離間しかつ基端側フランジ部７８の外面とほぼ平行に延びる延出部７６と、延出部７６に設けられた第１の嵌合部７６ａとを有する雄側係合部を備えるものとなっている。また、基端側フランジ部７８の外面と延出部７６との間には、間隙部７９が形成されている。
この実施例のプランジャ装着用部材７は、図１ないし図４，図７ないし図１１に示すように、基端側フランジ部７８を有し、その中心より若干周縁側となる位置より外方に突出するように保持部７７が形成されている。保持部７７は、ほぼ直線状のものとなっている。そして、この保持部７７の端部より、基端側フランジ部７８と所定距離離間し、かつ基端側フランジ部７８に対してほぼ平行に延びる延出部７６が設けられている。延出部７６は、保持部７７の端部の両側部より向かい合うように延びる２本の延出部となっている。さらに、図１０に示すように、延出部７６の基端部（保持部との境界部）は、肉薄となっており、延出部の弾性変形を可能としている。また、２本の延出部７６の先端部は、互いに近接するように湾曲し、爪部を形成しており、２本の延出部７６は、両者の先端が最も近接している。また、２本の延出部７６は、内側（両者が近接する方向）に弾性変形可能となっている。さらに、延出部７６の先端部は、上述したように爪部となっており、その側部には、段差部が形成されておりこの段差部が、嵌合部７６ａを形成している。段差部の高さとしては、０．２〜１．２ｍｍ程度が好ましい。また、段差部は、延出部７６の側面に対して起立面となっている。また、延出部７６と基端側フランジ部７８間の距離（間隙部７９の高さ）は、１〜３ｍｍ程度が好ましい。
また、この実施例のプランジャ装着用部材７は、図９および図１１に示すように、基端側フランジ部７８の側部に切欠部８１を備えている。また、切欠部８１は、向かい合うように２つ設けられている。そして、上述した装着用部材側スライド係合部７５（保持部７７および延出部７６）は、２つの切欠部８１の中央部に位置している。また、延出部７６は、２つの切欠部８１とほぼ平行に延びるものとなっている。このため、切欠部８１は、装着用部材側スライド係合部７５の係合のためのスライド方向の指標となっている。
【００２８】
図１ないし図４に示すように、本発明のプレフィルドシリンジでは、ガスケット本体６にプランジャ装着用部材７が装着されたガスケット３が、外筒２内に収納されている。なお、図１および図２に示すように、プランジャ装着用部材７の基端は、外筒２の基端より装着用部材側スライド係合部７５部分が露出するように収納されている。なお、ガスケット本体６にプランジャ装着用部材７は、以下のようにして装着される。
プランジャ装着用部材７の螺旋状リブ７４をガスケット本体６の螺旋状螺合部６３の始端に挿入した後、プランジャ装着用部材７を回転させることにより、螺旋状リブ７４と螺旋状螺合部６３との螺合が進行する。螺合の進行により、プランジャ装着用部材７の螺旋状リブ７４の始端は、ガスケット本体６の螺旋状螺合部６３の終端ならびに環状リブ６４の欠損部６５に近づき、プランジャ装着用部材７の螺旋状リブ７４の始端は、ガスケット本体６の螺旋状螺合部６３を形成する螺旋状突起６６と環状リブ６４間に位置するものとなる。そして、さらにプランジャ装着用部材７を回転させると、螺旋状リブ７４は、環状リブ６４の欠損部６５を通過し、収納部６２内に進入し、プランジャ装着用部材７の回転を継続することにより、図４に示すように、螺旋状リブ７４の全体は、環状リブ６４の欠損部６５を通過し、プランジャ装着用部材７の先端部７１の螺旋状リブ形成部位は、ガスケット本体６の収納部６２内に収納された状態となる。これにより、プランジャ装着用部材７のガスケット本体６への装着作業は、完了する。そして、プランジャ装着用部材７がガスケット本体６に装着された状態では、プランジャ装着用部材７の螺旋状リブ７４の後端面は、ガスケット本体６の環状リブ６４の先端面と当接するため、プランジャ装着用部材７のガスケット本体６からの離脱が規制される。また、プランジャ装着用部材７の先端部７１の螺旋状リブ形成部位がガスケット本体６の収納部６２に収納された状態では、プランジャ装着用部材７は、空転するものとなっている。さらに、通常状態にていずれの方向に回転しても、螺旋状リブの後端が、環状リブ６４の欠損部６５に進入することはなく、プランジャ装着用部材７の回転によるプランジャ装着用部材７の離脱ならびにガスケット本体６の回転を抑制する。プランジャ装着用部材７は、ガスケット本体６が螺旋状リブ７４を収納部６２に収納した状態で装着され、プランジャ装着用部材７の先端がガスケット本体６の内面に接触しないものとなっている。
【００２９】
図１，図１２ないし図１５に示すように、プランジャ４は、断面十字状に形成されたシャフト部４１を備え、その先端に装着用部材側スライド係合部７５と係合するためのプランジャ側スライド係合部４０を備える。また、シャフト部４１の途中には補強用リブ４９が設けられ、基端には、プランジャ押圧部４７が設けられている。
この実施例の注射器では、装着用部材側スライド係合部７５とプランジャ側スライド係合部４０は、一方が、保持部７７と保持部７７の端部よりスライド方向に延びる延出部７６と、延出部７６に設けられた第１の嵌合部７６ａとを備える雄側係合部を備え、他方が、延出部７６を収納可能な収納部４３と収納部４３の端部外面もしくは内部に設けられた第１の嵌合部７６ａと係合する第２の嵌合部４３ａを有する雌側係合部を有するものとなっている。
この実施例の注射器１では、上述したように、プランジャ装着用部材７の装着用部材側スライド係合部が雄側係合部となっており、プランジャ４のプランジャ側スライド係合部４０が雌側係合部となっている。このため、プランジャ４は、プランジャ装着用部材７の延出部７６を収納可能な収納部４３と収納部４３の端部外面もしくは内部に設けられた第１の嵌合部７６ａと係合する第２の嵌合部４３ａを有する雌側係合部を備えている。
この実施例のプランジャ４では、図１２ないし図１６に示すように、プランジャ側スライド係合部４０を有するヘッド部を備え、プランジャ側スライド係合部４０は、装着用部材側スライド係合部７５の延出部７６を収納可能な収納部４３と収納部４３の端部外面もしくは内部に設けられ、延出部７６の第１の嵌合部７６ａと係合する第２の嵌合部４３ａを有する雌側係合部を備える。また、この実施例のプランジャ４は、収納部４３の外面により形成され、プランジャ装着用部材７の基端側フランジ部７８を押圧可能な押圧部４２を備えている。押圧部４２は、その外面が、平坦面となっているとともに、プランジャ装着用部材７の保持部７７と延出部７６間に進入可能なものとなっている。押圧部４２を形成する板状部の厚さは、延出部７６と基端側フランジ部７８間の距離より若干薄いものであることが好ましい。
【００３０】
そして、収納部４３は、矩形状内腔を有し、内部にプランジャ装着用部材７の延出部７６を収納可能となっている。特に、この実施例では、図１６に示すように、雌側係合部を構成する収納部４３は、雄側係合部を構成する延出部７６の爪部が突出する状態にて収納するものとなっており、かつ、爪部の突出部（第１の嵌合部）７６ａは、収納部４３より突出時に収納部４３の外側端面（第２の嵌合部）４３ａと嵌合するものとなっている。なお、このようなものに限定されるものではなく、雄型係合部の第１の嵌合部は、雌型係合部（収納部）の内部にて係合するものであってもよい。
この実施例のプランジャ４では、収納部４３は、一端側開口と、他端側開口と前記一端側開口から他端側開口まで延びる内腔部を有している。そして、プランジャ装着用部材７の延出部７６は、一端側開口、他端側開口のどちらからも進入可能となっている。さらに、この実施例のプランジャ４では、雌側係合部は、収納部４３の一端側開口、他端側開口の両者または一方に、雄側係合部を収納部４３に誘導するための誘導部４４を備えている。具体的には、誘導部４４は、向かい合うように２つ設けられており、向かい合う両者の内面は、誘導部４４の開口に向かって幅が狭くなり近接するものとなっている。さらに、誘導部４４の端部は、屈曲部となっている。このため、プランジャ装着用部材７の延出部７６の誘導部４４の開口への誘導を可能としている。そして、この誘導部４４の端面は、押圧部４２の外面とほぼ連続するものとなっており、押圧部としても機能するものとなっている。
プランジャ４の構成材料としては、高密度ポリエチレン、ポリプロピレン、ポリスチレン、ポリエチレンテレフタレート等の硬質もしくは半硬質樹脂を用いることが好ましい。
【００３１】
外筒２は、透明もしくは半透明材料により、好ましくは、酸素透過性、水蒸気透過性の少ない材料により形成された筒状体である。
外筒２は、図１、図２および図１７に示すように、ノズル部２２と、カラー２３とを備える。
ノズル部２２は、外筒２の先端に設けられており、外筒内の薬液等を排出するための先端開口部を備えるとともに先端に向かってテーパー状に縮径するように形成されている。カラー２３は、ノズル部２２を取り囲むようにノズル部２２と同心的に円筒状に形成されている。また、カラー２３は、先端が開口しており、カラー２３の内径および外径は基端から先端までほぼ同一径となっている。また、カラー２３の先端開口からはノズル部２２の先端部が突出しており、ノズル部２２およびカラー２３の先端部は、ノズル部２２およびカラー２３を封止部材（シールキャップ）５内に収納しやすくするため面取り加工されている。
カラー内周面には、後述する封止部材（シールキャップ）５のノズル収納部５３に形成されたネジ山（キャップ側螺合部）５４と螺合するためのネジ溝（外筒側螺合部）２５が形成されている。これにより、外筒２とシールキャップ５はカラー内周面とノズル収納部外周面との間で螺合する。また、ネジ溝（外筒側螺合部）２５は、シールキャップ５を外筒から取り外した後注射針（注射針のハブ）を取り付ける部分となる。
【００３２】
外筒は、図１、図２および図１６に示すように、フランジ２４を有する。フランジ２４は、外筒２の後端全周より垂直方向に突出するように形成された楕円ドーナツ状の円盤部である。フランジ２４は、図１、図２、図１７に示すように向かい合う幅広となった２つの把持部を備え、さらに、把持部の先端面側には、複数のリブが形成されている。
外筒２の形成材料としては、例えば、ポリプロピレン、ポリエチレン、ポリスチレン、ポリアミド、ポリカーボネート、ポリ塩化ビニル、ポリ−（４−メチルペンテン−１）、アクリル樹脂、アクリロニトリル−ブタジエン−スチレン共重合体、ポリエチレンテレフタレート等のポリエステル、環状ポリオレフィンのような各種樹脂が挙げられるが、その中でも成形が容易で耐熱性があることから、ポリプロピレン、環状ポリオレフィンのような樹脂が好ましい。
【００３３】
封止部材であるシールキャップ５は、図１、図２、図１８に示すように、閉塞端５１と、ノズル収納部５３とカラー収納部５２を備えている。
ノズル収納部５３は、シールキャップ５の中央部に設けられ、先端が閉塞し円筒状である。ノズル収納部５３の内径は、ノズル部２２より若干大きく作製され、先端から基端まで基端に向かって若干テーパー状に拡径しており、基端開口からノズル部全体を収納するものとなっている。
ノズル収納部５３の内側閉塞面（閉塞端５１の内面）には、外筒２の先端開口部を液密に密封するためのシール部材５５が収納されている。シール部材５５としては、外筒２の先端開口部を液密に密封可能なように弾性部材であることが好ましい。シール部材の形成材料としては、例えば、天然ゴム、イソプレンゴム、ブタジエンゴム、フッ素ゴム、シリコーンゴム等の合成ゴム、オレフィン系エラストマーやスチレン系エラストマー等の熱可塑性エラストマー等を使用することが好ましい。
また、ノズル収納部５３の外面には、外筒２のカラー２３の内面に形成されたネジ溝（外筒側螺合部）２５と螺合するためのネジ山（キャップ側螺合部）５４が形成されている。これにより、外筒２とシールキャップ５は、ノズル収納部の外面とカラーの内面との間で螺合する。
【００３４】
カラー収納部５２は、ノズル収納部５３を取り囲むように形成され先端が閉塞した円筒状体であり、カラー収納部の内面とノズル収納部の外面との間にカラー２３を収納する。また、円筒状に形成されたカラー収納部５２は、ノズル収納部５３と同心状となっており、カラー収納部５２の内径は、先端から基端までほぼ同一径となっている。
また、図１に示すようにシールキャップ５の外側面（カラー収納部５２の外周面）には、シールキャップを回転させる時指等が滑らないようにするために縦方向に刻み加工が施されている。
シールキャップの形成材料としては、例えば、ポリプロピレン、ポリエチレン、ポリスチレン、ポリアミド、ポリカーボネート、ポリ塩化ビニル、ポリ−（４−メチルペンテン−１）、アクリル樹脂、アクリロニトリル−ブタジエン−スチレン共重合体、ポリエチレンテレフタレート等のポリエステル、環状ポリオレフィンのような各種樹脂が挙げられるが、その中でも成形が容易で耐熱性があることから、ポリプロピレン、環状ポリオレフィンのような樹脂が好ましい。
【００３５】
また、上述した実施例の注射器では、プランジャ装着用部材７の装着用部材側スライド係合部７５が、保持部７７と保持部７７の端部よりスライド方向に延びる延出部７６と、延出部７６に設けられた第１の嵌合部７６ａとを備える雄側係合部であり、プランジャ４のプランジャ側スライド係合部４０が、延出部７６を収納可能な収納部４３と収納部４３の端部外面もしくは内部に設けられた第１の嵌合部７６ａと係合する第２の嵌合部４３ａを有する雌側係合部となっている。しかし、このようなタイプのものに限定されるものではない。
例えば、図１９に示すように、プランジャ４ａのプランジャ側スライド係合部９２が、雄側係合部であり、 プランジャ装着用部材７ａの装着用部材側スライド係合部９１が、雌側係合部であってもよい。そして、雄側係合部および雌側係合部の構成としては、上述したものが好適に使用できる。なお、図１９に示すように、プランジャ４ａに、保持部７７および保持部７７の端部よりスライド方向に延びる延出部７６を設ける場合には、先端側フランジ部９０を設け、その外面に設けることが好ましい。
【００３６】
そして、本発明のプレフィルドシリンジ１では、図２に示すように、外筒内に形成された薬剤収納部に薬剤８が充填されている。
薬剤８としては、どのような薬剤でもよいが、例えば、シクロスポリン、ベンゾジアゼピン系薬剤、塩化ナトリウム注射液、ビタミン剤、ミネラル類などの薬液、さらには、抗生物質、タンパク製剤等の粉末状もしくは凍結乾燥薬剤あるいは液剤が使用される。本発明のプレフィルドシリンジは、特にシリンジポンプを用いて投与するタイプのプレフィルドシリンジに適しているので、充填される薬剤としてはそのような投与手段を用いることに適した薬剤であることが好ましく、ニトログリセリン注射液、硝酸イソソルビド注射液、ドパミン塩酸塩（塩酸ドパミン）注射液、ドブタミン塩酸塩注射液、塩酸モルヒネ注射液、などが挙げられる。
【００３７】
次に、本発明のプレフィルドシリンジ１の作用を図１６、図２０ないし図２２を用いて説明する。
プレフィルドシリンジ本体１０は、外筒２の基端部内にガスケット３を収納した状態となっている。図２０に示すように、プランジャ４の先端部の先端面が、プランジャ装着用部材７の基端側フランジ部７８に摺接し、かつ、向かい合う誘導部４４間に延出部７６の先端部が進入するように、プランジャ４を外筒２に対して横方向（矢印方向）にスライドさせる。これにより、プランジャ装着用部材７の延出部７６は、プランジャ４の収納部４３の一方の開口よりその内部に進入する。さらに、進入を進行させると、プランジャ装着用部材７の延出部７６の先端部は、プランジャ４の収納部４３の他方の開口より、突出し、その後、延出部７６の外面に形成された第１の嵌合部７６ａは、収納部４３の端部外面により形成された第２の嵌合部４３ａと嵌合する。この状態を、図１６、図２１および図２２に示す。嵌合完了は、プランジャ４の収納部４３の他方の開口より、延出部７６の先端部が露出すること、および第１の嵌合部７６ａと第２の嵌合部４３ａとの嵌合音により確認することができる。
このように、このプレフィルドシリンジでは、プランジャの回転操作を行うことなく、プランジャ４をプランジャ装着部７に装着することができるため、装着作業時に液漏れが生じることが極めて少ない。また、装着後のプランジャは、プランジャ装着用部材７により離脱しない。さらに、装着後のプランジャ４を回転させたとき、それに追従してプランジャ装着用部材７も回転する可能性があるが、プランジャ装着用部材７の先端部７１の螺旋状リブ形成部位がガスケット本体６の収納部６２に収納された状態では、プランジャ装着用部材７は、空転するものとなっているため、プランジャ４の回転がガスケット本体６に伝達されない。
【符号の説明】
【００３８】
１  プレフィルドシリンジ
２  外筒
３  ガスケット
４  プランジャ
５  封止部材
６  ガスケット本体
７  プランジャ装着用部材
１０  プレフィルドシリンジ本体
【図１】
0005394183.tif 000002
【図２】
0005394183.tif 000003
【図３】
0005394183.tif 000004
【図４】
0005394183.tif 000005
【図５】
0005394183.tif 000006
【図６】
0005394183.tif 000007
【図７】
0005394183.tif 000008
【図８】
0005394183.tif 000009
【図９】
0005394183.tif 000010
【図１０】
0005394183.tif 000011
【図１１】
0005394183.tif 000012
【図１２】
0005394183.tif 000013
【図１３】
0005394183.tif 000014
【図１４】
0005394183.tif 000015
【図１５】
0005394183.tif 000016
【図１６】
0005394183.tif 000017
【図１７】
0005394183.tif 000018
【図１８】
0005394183.tif 000019
【図１９】
0005394183.tif 000020
【図２０】
0005394183.tif 000021
【図２１】
0005394183.tif 000022
【図２２】
0005394183.tif 000023